(57)【要約】  息苦しさを解消しつつ有害粒子の侵入を防ぐのに適した構造のマスクを提供する。マスク１は、装着者の口を覆う本体部１０を備えている。本体部１０は、互いに重ね合わされたシート１０ａ（第１のシート）及びシート１０ｂ（第２のシート）を有している。本体部１０には、開口部１２，１４が設けられている。開口部１２，１４は、シート１０ａ，１０ｂのうちシート１０ａにのみ設けられている。
2016166794.tif 000002
【特許請求の範囲】
【請求項１】
開口部を有し、装着者の口を覆う本体部を備え、
前記本体部は、互いに重ね合わされた第１及び第２のシートを有しており、
前記開口部は、前記第１及び第２のシートのうち前記第１のシートにのみ設けられていることを特徴とするマスク。
【請求項２】
請求項１に記載のマスクにおいて、
前記本体部は、複数の前記開口部を有するマスク。
【請求項３】
請求項２に記載のマスクにおいて、
前記複数の開口部は、第１の開口部と、前記第１の開口部よりも小さい第２の開口部とを含むマスク。
【請求項４】
請求項１乃至３の何れかに記載のマスクにおいて、
前記本体部における前記開口部以外の部分は、前記装着者の口の少なくとも一部を覆うマスク。
【請求項５】
請求項１乃至４の何れかに記載のマスクにおいて、
前記開口部を塞ぐように前記本体部に貼付可能なパッチ部材を備えるマスク。
【請求項６】
請求項５に記載のマスクにおいて、
前記パッチ部材は、前記本体部に貼付された後、前記本体部から剥離可能であるマスク。
【請求項７】
請求項５又は６に記載のマスクにおいて、
前記パッチ部材は、前記本体部と同一の材料からなるマスク。
【請求項８】
請求項５又は６に記載のマスクにおいて、
前記パッチ部材は、前記本体部と異なる材料からなるマスク。
【請求項９】
請求項５乃至８の何れかに記載のマスクにおいて、
前記パッチ部材は、通気性を有するマスク。
【請求項１０】
請求項５乃至９の何れかに記載のマスクにおいて、
前記パッチ部材の裏面には、前記本体部に対して粘着力を有する粘着部が設けられており、
前記パッチ部材は、前記粘着部を介して前記本体部に貼付されるマスク。
【請求項１１】
請求項５乃至１０の何れかに記載のマスクにおいて、
前記パッチ部材は、保湿成分を含有するマスク。
【請求項１２】
請求項５乃至１１の何れかに記載のマスクにおいて、
前記パッチ部材には、図柄が描かれているマスク。
【請求項１３】
請求項１２に記載のマスクにおいて、
前記図柄は、動物、スイーツ、乗り物、又はキャラクターの図柄であるマスク。
【請求項１４】
請求項１２に記載のマスクにおいて、
前記図柄は、特定の企業名又は商品名を表すロゴマークであるマスク。
【請求項１５】
請求項５乃至１４の何れかに記載のマスクにおいて、
前記パッチ部材は、前記第２のシートにおける前記開口部に露出する部分に貼付されるマスク。
【請求項１６】
請求項１乃至１５の何れかに記載のマスクにおいて、
前記第２のシートは、前記第１のシートから剥離可能に設けられているマスク。
【請求項１７】
請求項１６に記載のマスクにおいて、
前記第１のシートの上端部と前記第２のシートの上端部とは、互いに接着されており、
前記第２のシートは、前記上端部が前記第１のシートの前記上端部に接着された状態を維持しつつ、前記第１のシートから剥離されるマスク。
【請求項１８】
請求項１乃至１７の何れかに記載のマスクにおいて、
前記本体部に固定され、前記装着者の顔から前記本体部を離間させた状態で当該本体部の形状を維持するための可塑性の線状部材を備えるマスク。
【請求項１９】
請求項１８に記載のマスクにおいて、
前記線状部材は、前記本体部の上端に沿って設けられた第１の線状部材と、前記本体部の下端に沿って設けられた第２の線状部材とを含むマスク。
【請求項２０】
請求項１８又は１９に記載のマスクにおいて、
前記線状部材は、前記本体部の左端に沿って設けられた第３の線状部材と、前記本体部の右端に沿って設けられた第４の線状部材とを含むマスク。
【発明の詳細な説明】
【技術分野】
【０００１】
本発明は、人の鼻や口を覆うマスクに関する。
【背景技術】
【０００２】
従来のマスクとしては、例えば特許文献１に記載されたものがある。同文献に記載されたマスクは、装着者の口を覆う本体部と、本体部に取り付けられた耳紐とを備えている。本体部には、息抜き用の開口部が設けられている。開口部は、本体部における装着者の口に重ならない部分に位置している。
【先行技術文献】
【特許文献】
【０００３】
【特許文献１】特開２０１２−４０１６３号公報
【発明の概要】
【発明が解決しようとする課題】
【０００４】
特許文献１に記載されたマスクによれば、本体部に設けられた開口部を通じて呼吸をすることができるため、装着者は息苦しさを感じにくい。しかしながら、この開口部は、ＰＭ２．５、花粉、ウィルス等の有害粒子の侵入経路にもなる。それゆえ、特許文献１に記載されたマスクでは、有害粒子の侵入を充分に防ぐことができない。【０００５】
本発明は、上記課題に鑑みてなされたものであり、息苦しさを解消しつつ有害粒子の侵入を防ぐのに適した構造のマスクを提供することを目的とする。
【課題を解決するための手段】
【０００６】
本発明によるマスクは、開口部を有し、装着者の口を覆う本体部を備え、上記本体部は、互いに重ね合わされた第１及び第２のシートを有しており、上記開口部は、上記第１及び第２のシートのうち上記第１のシートにのみ設けられていることを特徴とする。【０００７】
このマスクにおいては、本体部に開口部が設けられている。この開口部は、装着者が呼吸する際、吸気及び呼気の経路となる。これにより、装着者は、呼吸をしやすくなるため、息苦しさから免れることができる。そして、当該開口部は、第１及び第２のシートのうち第１のシートにのみ設けられている。これにより、開口部が第２のシートによって覆われた状態となるため、有害粒子が開口部を通じて本体部の内側に侵入するのを防ぐことができる。
【発明の効果】
【０００８】
本発明によれば、息苦しさを解消しつつ有害粒子の侵入を防ぐのに適した構造のマスクが実現される。
【図面の簡単な説明】
【０００９】
【図１】本発明によるマスクの一実施形態を示す正面図である。
【図２】図１のマスクにおけるシート１０ａを示す正面図である。
【図３】図１のマスクにおけるシート１０ｂを示す正面図である。
【図４】図１のマスクにおいてシート１０ｂが剥離された状態を示す正面図である。
【図５】図１のマスクにおけるパッチ部材２２を示す背面図である。
【図６】図１のマスクにおけるパッチ部材２４を示す背面図である。
【図７】図１のマスクにおいてパッチ部材２２，２４が貼付された状態を示す正面図である。
【図８】本発明によるマスクの一変形例を説明するための図である。
【図９】本発明によるマスクの他の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるマスクの一実施形態を示す正面図である。マスク１は、本体部１０、及びパッチ部材２２，２４を備えている。本体部１０は、シート状をしており、装着者の目、鼻及び口のうち、鼻及び口のみを覆う。図１は、本体部１０の外側の面、すなわち装着者の顔に対向する面（内側の面）とは反対側の面を示している。
【００１２】
本体部１０は、シート１０ａ（第１のシート）及びシート１０ｂ（第２のシート）を有している。これらのシート１０ａ，１０ｂは、略同一の形状及び大きさをしており、互いに重ね合わされている。各シート１０ａ，１０ｂは、通気性を有する材料からなる。かかる材料としては、例えば、不織布、ガーゼ又は紙を用いることができる。これにより、本体部１０は、通気性を有している。
【００１３】
本体部１０には、複数の開口部１２，１４が設けられている。具体的には、４つの開口部１２（第１の開口部）と、２つの開口部１４（第２の開口部）とが設けられている。開口部１２は、概ね、装着者の鼻にも口にも重ならない部分に位置している。開口部１４は、概ね、装着者の口に重なる部分に位置している。本実施形態において開口部１２，１４の形状は、何れも円形である。ただし、開口部１４は、開口部１２よりも小さい。
【００１４】
マスク１の装着時、装着者の口の少なくとも一部は、本体部１０における開口部１２，１４以外の部分によって覆われる。図１において、一点鎖線Ｌ１で囲まれた部分が、概ね、装着者の口に重なる部分である。
【００１５】
開口部１２，１４は、シート１０ａ，１０ｂのうちシート１０ａにのみ設けられている。すなわち、図２に示すようにシート１０ａには開口部１２，１４が形成されているのに対し、図３に示すようにシート１０ｂには開口部１２，１４が形成されていない。
【００１６】
シート１０ｂは、シート１０ａから剥離可能に設けられている。ここで、剥離可能とは、装着者が本体部１０を損傷することなく容易にシート１０ａからシート１０ｂを剥がせるということである。シート１０ａの上端部とシート１０ｂの上端部とは、互いに接着されている。図４に示すように、シート１０ｂは、その上端部がシート１０ａの上端部に接着された状態を維持しつつ、シート１０ａから剥離される。
【００１７】
図５及び図６は、それぞれパッチ部材２２及びパッチ部材２４を示す背面図である。これらの図は、パッチ部材２２，２４の裏面を示している。パッチ部材２２，２４は、本体部１０と別体に設けられている。パッチ部材２２，２４は、本体部１０に貼付可能である。本実施形態においてパッチ部材２２，２４は、シート１０ａの表面（シート１０ｂと反対側の面）に貼付される。
【００１８】
図５に示すように、パッチ部材２２の裏面には、本体部１０（シート１０ａ）に対して粘着力を有する粘着部２２ａが設けられている。本実施形態において粘着部２２ａは、パッチ部材２２の裏面における周縁部（シート１０ａに接触する部分）にのみ設けられている。パッチ部材２２は、この粘着部２２ａを介して本体部１０に貼付される。同様に、図６に示すように、パッチ部材２４の裏面には、本体部１０（シート１０ａ）に対して粘着力を有する粘着部２４ａが設けられている。本実施形態において粘着部２４ａは、パッチ部材２４の裏面における周縁部にのみ設けられている。パッチ部材２４は、この粘着部２４ａを介して本体部１０に貼付される。
【００１９】
図７は、マスク１においてパッチ部材２２，２４が貼付された状態を示す正面図である。パッチ部材２２，２４が貼付されることにより、開口部１２，１４は閉塞される。すなわち、パッチ部材２２，２４は、開口部１２，１４を塞ぐように本体部１０に貼付される。これらのパッチ部材２２，２４は、複数の開口部１２，１４のそれぞれを塞ぐように設けられている。具体的には、４つの開口部１２に対応する４つのパッチ部材２２と、２つの開口部１４に対応する２つのパッチ部材２４とが設けられている。
【００２０】
パッチ部材２２，２４は、開口部１２，１４の全体を塞ぐことができ、かつ互いに重ならないような形状及び大きさを有している。本実施形態においてパッチ部材２２は、開口部１２と相似形をしており、開口部１２よりも大きい。同様に、パッチ部材２４は、開口部１４と相似形をしており、開口部１４よりも大きい。パッチ部材２２，２４は、通気性を有する材料からなることが好ましい。パッチ部材２２，２４は、本体部１０と同一の材料からなっていてもよいし、本体部１０と異なる材料からなっていてもよい。
【００２１】
パッチ部材２２，２４は、本体部１０に貼付された後、本体部１０から剥離可能であることが好ましい。ここで、剥離可能とは、装着者が本体部１０を損傷することなく容易にパッチ部材２２，２４を剥がせるということである。さらに、パッチ部材２２，２４は、本体部１０から剥離された後、本体部１０に再び貼付可能であることが好ましい。このように剥離可能でかつ再貼付可能なパッチ部材２２，２４は、粘着部２２ａ，２４ａの粘着力を適度に調整することにより実現することができる。
【００２２】
各パッチ部材２２，２４は、保湿成分、芳香成分、抗菌成分のうち少なくとも１つを含有することが好ましい。保湿成分としては、例えば、コラーゲン、ヒアルロン酸、グリセリン類が挙げられる。芳香成分としては、例えば、ユーカリ、ローズマリー、ラベンダーその他のハーブの香りを発するものが挙げられる。また、抗菌成分としては、例えば、カテキンその他のタンニンが挙げられる。タンニンとしては、お茶やコーヒーに含有されているものを用いることができる。
【００２３】
各パッチ部材２２，２４の表面における少なくとも一部は、光反射性（好ましくは再帰反射性）又は蛍光性を有していてもよい。また、各パッチ部材２２，２４の表面における少なくとも一部は、蓄光性を有していてもよい。
【００２４】
パッチ部材２２，２４には、図柄が描かれていてもよい。かかる図柄としては、例えば、動物、スイーツ（デザート）、乗り物、又は、アニメや漫画等のキャラクターの図柄が挙げられる。あるいは、パッチ部材２２，２４に描かれる図柄は、特定の企業名又は商品名を表すロゴマークであってもよい。
【００２５】
図１に戻って、本体部１０には、当該本体部１０を装着者の顔に固定するための固定部３０が取り付けられている。本実施形態において固定部３０は、装着者の耳に掛けられる紐状部材である。かかる固定部３０としては、例えば、ゴム紐を用いることができる。
【００２６】
マスク１の効果を説明する。マスク１においては、本体部１０に開口部１２，１４が設けられている。開口部１２，１４は、装着者が呼吸する際、吸気及び呼気の経路となる。これにより、装着者は、呼吸をしやすくなるため、息苦しさから免れることができる。そして、開口部１２，１４は、シート１０ａ，１０ｂのうちシート１０ａにのみ設けられている。これにより、開口部１２，１４がシート１０ｂによって覆われた状態となるため、有害粒子が開口部１２，１４を通じて本体部１０の内側に侵入するのを防ぐことができる。したがって、息苦しさを解消しつつ有害粒子の侵入を防ぐのに適した構造のマスク１が実現されている。
【００２７】
さらに、本体部１０に貼付可能なパッチ部材２２，２４が設けられている。パッチ部材２２，２４は、開口部１２，１４を塞ぐように本体部１０に貼付される。このため、装着者は、パッチ部材２２，２４を貼付することにより、開口部１２，１４を塞ぐことができる。これにより、本体部１０の気密性が高まるため、喉の乾燥を効果的に防ぐことができる。
【００２８】
かかる構成により、マスク１は、パッチ部材２２，２４が貼付されていない状態と、パッチ部材２２，２４が貼付された状態とで２通りの使い方が可能である。これにより、装着者にとっての利便性が飛躍的に高まる。
【００２９】
例えば、装着者は、自身の健康状態や身体状況に応じて、マスク１の使用態様を切り替えることができる。例えば、装着者は、鼻炎等により鼻が詰まっているときは、呼吸の容易性を優先してパッチ部材２２，２４が貼付されていない状態でマスク１を使用する一方で、鼻が詰まっていないときは、喉の乾燥防止を優先してパッチ部材２２，２４が貼付された状態でマスク１を使用するということができる。あるいは、装着者は、ランニングや坂道の歩行等の際に息苦しくなったときは、呼吸の容易性を優先してパッチ部材２２，２４が貼付されていない状態でマスク１を使用する一方で、息苦しくないときは、喉の乾燥防止を優先してパッチ部材２２，２４が貼付された状態でマスク１を使用するということもできる。
【００３０】
また、装着者は、使用目的に応じて、マスク１の使用態様を切り替えることができる。例えば、有害粒子の吸入を防ぐ目的でマスク１を使用するときは、本体部１０の気密性を優先してパッチ部材２２，２４が貼付された状態でマスク１を使用する一方で、防寒やファッション目的でマスク１を使用するときは、呼吸の容易性を優先してパッチ部材２２，２４が貼付されていない状態でマスク１を使用するということができる。
【００３１】
このように２通りの使い方が可能であるため、マスク１は、長時間にわたって使用するのに適しており、経済的である。
【００３２】
パッチ部材２２の裏面には粘着部２２ａが設けられており、パッチ部材２２は、粘着部２２ａを介して本体部１０に貼付される。これにより、本体部１０に対するパッチ部材２２の貼付を容易に行うことができる。また、かかる構成によれば、本体部１０における任意の位置にパッチ部材２２を貼付することができる。このため、各開口部１２の一部のみを塞ぐようにパッチ部材２２を貼付することも可能となる。したがって、装着者は、各開口部１２における閉塞される部分の面積を変えることにより、喉の乾燥防止と呼吸の容易性とのバランスを調整することができる。
【００３３】
パッチ部材２４の裏面には粘着部２４ａが設けられており、パッチ部材２４は、粘着部２４ａを介して本体部１０に貼付される。これにより、本体部１０に対するパッチ部材２４の貼付を容易に行うことができる。また、かかる構成によれば、本体部１０における任意の位置にパッチ部材２４を貼付することができる。このため、各開口部１４の一部のみを塞ぐようにパッチ部材２４を貼付することも可能となる。したがって、装着者は、各開口部１４における閉塞される部分の面積を変えることにより、喉の乾燥防止と呼吸の容易性とのバランスを調整することができる。
【００３４】
粘着部２２ａ，２４ａは、それぞれパッチ部材２２，２４の裏面における周縁部にのみ設けられている。これにより、粘着部２２ａ，２４ａが開口部１２，１４を通じてシート１０ｂに付着するのを防ぐことができる。
【００３５】
本体部１０には、複数の開口部１２，１４が設けられている。このため、装着者は、パッチ部材２２，２４によって閉塞される開口部１２，１４の個数を変えることにより、喉の乾燥防止と呼吸の容易性とのバランスを調整することができる。
【００３６】
複数の開口部１２，１４のそれぞれを塞ぐように、複数のパッチ部材２２，２４が設けられている。すなわち、各開口部１２，１４に対して個別にパッチ部材２２，２４が設けられている。これにより、各開口部１２，１４の閉塞（パッチ部材２２，２４の貼付）を互いに独立して行えるため、閉塞される開口部１２，１４の個数を容易に変えることができる。
【００３７】
本体部１０には、大きさが相異なる開口部１２と開口部１４とが設けられている。このため、装着者は、開口部１２又は開口部１４の何れを閉塞するかによっても、喉の乾燥防止と呼吸の容易性とのバランスを調整することができる。
【００３８】
パッチ部材２２，２４が本体部１０から剥離可能である場合、本体部１０に一旦貼付された後であっても、パッチ部材２２，２４を剥離することにより、再び開口部１２，１４が閉塞されていない状態でマスク１を使用することができる。
【００３９】
本体部１０は、開口部１２，１４以外の部分が装着者の口の少なくとも一部を覆うように構成されている。このため、装着者の口の少なくとも一部は、シート１０ａ及びシート１０ｂの双方で覆われるため、喉の乾燥を効果的に防止することができる。
【００４０】
パッチ部材２２，２４に図柄が描かれている場合、マスク１のファッション性を向上させることができる。また、ファッション性の向上により、普段はマスクをしたがらない人であっても、気軽に装着できるようになる。
【００４１】
特に、動物、スイーツ、乗り物、又はキャラクターの図柄は、子供の関心を強く惹く。そのため、これらの図柄がパッチ部材２２，２４に描かれている場合、子供が嫌がらずにマスク１を装着し易くなる。あるいは、パッチ部材２２，２４に特定の企業名又は商品名を表すロゴマークが描かれている場合、パッチ部材２２，２４ひいてはマスク１に宣伝媒体としての機能をもたせることができる。このことは、マスク１の低価格化につながる。
【００４２】
パッチ部材２２，２４が保湿成分を含有する場合、呼吸時に吸気と共にパッチ部材２２，２４から水分が口腔内に供給されるため、喉の乾燥を効果的に防ぐことができる。パッチ部材２２，２４が芳香成分を含有する場合、呼吸時に当該成分が鼻腔内に吸い込まれることにより、装着者は、より快適にマスク１を使用することができる。パッチ部材２２，２４が抗菌成分を含有する場合、呼気中や吸気中の雑菌が繁殖するのを抑制することができるため、装着者は、より衛生的にマスク１を使用することができる。
【００４３】
パッチ部材２２，２４の表面における少なくとも一部が光反射性又は蛍光性を有している場合、パッチ部材２２，２４ひいてはそれが貼付されたマスク１の視認性を高めることができる。特に自動車の運転者からの視認性が高まることにより、パッチ部材２２，２４は、交通安全にも寄与することができる。また、パッチ部材２２，２４の表面における少なくとも一部が蓄光性を有している場合、暗所においても、パッチ部材２２，２４ひいてはそれが貼付されたマスク１を視認しやすくなる。
【００４４】
シート１０ｂは、シート１０ａから剥離可能に設けられている。このため、装着者は、シート１０ｂを剥離することにより、開口部１２，１４が完全に開放された状態（開口部１２，１４がシート１０ｂによって覆われておらず、かつパッチ部材２２，２４によって閉塞されていない状態）でもマスク１を使用することができる。
【００４５】
シート１０ｂは、その上端部がシート１０ａの上端部に接着された状態を維持しつつ、シート１０ａから剥離される。これにより、シート１０ａから剥離されたシート１０ｂをアイマスクとして機能させることができる。
【００４６】
本発明は、上記実施形態に限定されるものではなく、様々な変形が可能である。上記実施形態においては、パッチ部材２２，２４がシート１０ａに貼付される例を示した。しかし、パッチ部材２２，２４は、図８に示すように、シート１０ｂにおける開口部１２，１４に露出する部分に貼付されてもよい。本例においてパッチ部材２２は、開口部１２と略同一の形状及び大きさを有している。同様に、パッチ部材２４は、開口部１４と略同一の形状及び大きさを有している。また、パッチ部材２２，２４の裏面の略全体に粘着部が設けられている。
【００４７】
かかる構成の場合、シート１０ａからシート１０ｂを剥離すると、パッチ部材２２，２４もシート１０ａから離れることになる。したがって、シート１０ｂを剥離するという一つの動作で、複数の開口部１２，１４の全てが完全に解放された状態に切り替えることができる。また、シート１０ｂが剥離された状態においても、パッチ部材２２，２４の粘着部が本体部１０の内側の面に露出することがないため、当該粘着部が装着者の顔に付着するのを確実に防ぐことができる。
【００４８】
上記実施形態においては、本体部に複数の開口部が設けられた例を示した。しかし、本体部には１つの開口部のみが設けられていてもよい。パッチ部材についても同様である。
【００４９】
上記実施形態においては、１つの開口部に対して１つのパッチ部材が設けられた例を示した。しかし、複数の開口部に対して１つのパッチ部材が設けられていてもよい。すなわち、パッチ部材は、複数の開口部を同時に塞ぐものであってもよい。
【００５０】
上記実施形態においては、開口部の形状が円形である場合の例を示した。しかし、開口部の形状は、任意であり、例えば、三角形、矩形、星形又はハート形であってもよい。パッチ部材の形状についても同様である。
【００５１】
上記実施形態においては、パッチ部材が設けられた例を示した。しかし、パッチ部材を設けることは、必須でない。
【００５２】
上記実施形態においては、第１のシート（開口部が設けられたシート）が第２のシート（開口部が設けられていないシート）よりも本体部の外側に設けられた例を示した。しかし、第１のシートは、第２のシートよりも本体部の内側に設けられていてもよい。
【００５３】
上記実施形態においては、マスクとして、鼻及び口を覆うものを例示した。しかし、マスクは、口のみを覆うものであってもよいし、目、鼻及び口を覆うものであってもよい。
【００５４】
上記実施形態において、本体部には、プリーツ部が設けられていてもよい。その場合、開口部は、プリーツ部が広げられた状態において現れればよく、プリーツ部が広げられていない状態においては視認できないものであってもよい。
【００５５】
上記実施形態においては、図９に示すように、本体部１０に線状部材４２，４４，４６，４８が固定されていてもよい。これらの線状部材４２，４４，４６，４８は、可塑性を有し、装着者の顔から本体部１０を離間させた状態で本体部１０の形状を維持するためのものである。線状部材４２，４４，４６，４８の材料としては、例えば、金属又は樹脂を用いることができる。
【００５６】
線状部材４２（第１の線状部材）は、本体部１０の上端に沿って延在している。線状部材４４（第２の線状部材）は、本体部１０の下端に沿って延在している。線状部材４６（第３の線状部材）は、本体部１０の左端に沿って延在している。また、線状部材４８（第４の線状部材）は、本体部１０の右端に沿って延在している。線状部材４２は、例えば、本体部１０の上端付近を袋状に形成し、その中に収容すればよい。線状部材４４，４６，４８についても同様である。
【００５７】
このように線状部材４２，４４，４６，４８を設けることにより、装着者の顔から本体部１０を離間させた状態で本体部１０の形状を維持することができる。それにより、装着者の顔と本体部１０との間に適度な空間を形成し、吸気及び呼気の経路を確保することができる。特に本例においては、本体部１０の上下左右に線状部材４２，４４，４６，４８が設けられているため、本体部１０の形状設定の自由度が高く、吸気及び呼気の経路を確保し易い。
【符号の説明】
【００５８】
１  マスク
１０  本体部
１０ａ  シート（第１のシート）
１０ｂ  シート（第２のシート）
１２  開口部（第１の開口部）
１４  開口部（第２の開口部）
２２  パッチ部材
２２ａ  粘着部
２４  パッチ部材
２４ａ  粘着部
３０  固定部
４２  線状部材（第１の線状部材）
４４  線状部材（第２の線状部材）
４６  線状部材（第３の線状部材）
４８  線状部材（第４の線状部材）
【図１】
2016166794.tif 000003
【図２】
2016166794.tif 000004
【図３】
2016166794.tif 000005
【図４】
2016166794.tif 000006
【図５】
2016166794.tif 000007
【図６】
2016166794.tif 000008
【図７】
2016166794.tif 000009
【図８】
2016166794.tif 000010
【図９】
2016166794.tif 000011
【国際調査報告】
2016166794.tif 000012
2016166794.tif 000013
2016166794.tif 000014
2016166794.tif 000015